(57)【特許請求の範囲】
【請求項１】
テレビ受信システムに使用されるブースタで放送信号が入力される入力端子が筐体の一側面に備えられた増幅部と、分配出力端子が備えられた別設の分配部とから成る分配ブースタであって、
増幅部の入力端子が備えられた筐体の一側面とは異なる側面に、分配部が取り付けられており、前記増幅部には増幅部側出力端子が備えられ、かつ分配部には分配部側入力端子が備えられ、前記の増幅部側出力端子と分配部側入力端子が同軸ケーブルで接続されていることを特徴とする分配ブースタ。
【請求項２】
分配部の出力端子が増幅部の入力端子に対し直交配置で、分配部が増幅部の筐体の一側面に取り付けられていることを特徴とする、請求項１に記載した分配ブースタ。
【請求項３】
増幅部の筐体の一側面に取り付けられた分配部が、回動自在に構成されていることを特徴とする、請求項１又は２に記載した分配ブースタ。
【請求項４】
分配部の左右両側に取付け片が設けられ、その取付け片を通じて分配部が、増幅部の筐体の一側面に回動自在にピン連結されていることを特徴とする、請求項１〜３のいずれか１項に記載した分配ブースタ。
【請求項５】
分配部が、増幅部に対し所望の傾斜角度で位置決め固定されることを特徴とする、請求項１〜４のいずれか１項に記載した分配ブースタ。
【請求項６】
分配部の複数の分配出力端子が、千鳥状に配置されていることを特徴とする、請求項１〜５のいずれか１項に記載した分配ブースタ。
【請求項７】
分配部は、回動アダプタを介して、増幅部の筐体の一側面に回動自在に取り付けられていることを特徴とする、請求項１又は２又は３又は５又は６に記載した分配ブースタ。
【発明の詳細な説明】
【技術分野】
【０００１】
本発明は、増幅部と別設の分配部が合体された分配ブースタに係り、特には、情報分電盤の中に収納して設置された際、配線や接続が行い易いテレビ受信用の分配ブースタの技術分野に関するものである。
【背景技術】
【０００２】
最近のテレビ共同受信システムでは、点検や保守、改修工事などを行い易いように、受信システム機器を一ケ所に集中させ、インターネットなどの通信機器も同一のボックスの中に設置する情報分電盤が一般化してきている（図１７参照）。
【０００３】
例えば下記特許文献１には、筐体の外面に複数の同軸ケーブル接続用の端子が取り付けられるブースタにおいて、前記複数の端子は前記筐体の側部外面に２段に配列され、前記複数の端子が配列される２段の境界に立設する段差面が形成され、この段差面の基端に接し前記側部の面の一部を形成する一の面と、前記段差面の先端に接し前記側部の面の残部を形成する他の面とに分けて、前記複数の端子が配列され、前記段差面における前記端子と対向する部分には溝部が形成されるブースタ（同文献の請求項１参照）が記載されている。
【０００４】
また特許文献２には、端末装置への情報系配線に接続される各種機器が取り付けられるベースと、該ベースを収納し、該ベースと対向する位置に、該ベースに取り付けられた機器に対する配線作業用の開口部を有する本体、及び該本体の開口部を塞ぐための正面カバーからなるキャビネットと、該ケース内の予め設定された収納位置に前記ベースを固定する固定部材と、を備え、屋内に設置された各情報コンセントに到る屋内配線間の接続、及び該屋内配線と屋外から引き込んだ情報系配線との接続を前記ベースに取り付けられた機器を介して行うことにより、各配線の接続状態を一括して管理するための情報用分電盤において、前記固定部材による固定を解除した時に、前記ベースを、該ベースの一端が前記開口部に向けて傾斜した状態となる作業位置にて保持する傾斜保持部材を設けたことを特徴とする情報用分電盤（同文献の請求項１参照）が記載されている。
【先行技術文献】
【特許文献】
【０００５】
【特許文献１】特許第３６６１４４２号公報
【特許文献２】特開２００２−１１２４１４公報
【発明の概要】
【発明が解決しようとする課題】
【０００６】
前記特許文献１のブースタは、入力端子と出力端子が、１８０°反対側の対向した面に設けられている（同文献の図６の符号１７参照）。しかも、出力端子が筐体の一側面に段差のある形態で固着されているため、情報分電盤等の中の狭い空間では、端子への配線がやりにくいという問題がある。
【０００７】
特許文献２のブースタは、同文献の図２に記載あるように、ブースタ全体を傾けるという構造であって、その傾斜角度には制限があり、特別な情報分電盤にしか使用できない。どこにでも取り付けられるブースタに適用されるものではない。  
【０００８】
また、上記のような従来の分配ブースタを使用したアンテナもしくはケーブルテレビ受信システムでは、増幅部と分配部は一体になっているため、受信システム設置後にアンテナもしくはケーブルテレビ受信からユーザーが光ケーブルテレビに加入した場合、ＯＮＵ（Optical Network Unit）が設置される。その際、ブースタと分配器が一体になっており入力端子はブースタ部にしかなく、ＯＮＵの出力側を分配ブースタの入力端子に接続すると、ＯＮＵから出力される放送信号のレベルは大きいため、入力オーバーになるという問題があった。
【０００９】
したがって、本発明の目的は、情報分電盤の中のようなスペースが限られた場所に、増幅部と分配部とから成る分配ブースタが取り付けられた際に、入力側と出力側の配線や接続が行い易く、使い勝手に優れた分配ブースタを提供することにある。また、当該分配ブースタに取り付けられる分配部の単独使用も可能なものを提供する。
【課題を解決するための手段】
【００１０】
課題を解決するための手段として、請求項１に記載した分配ブースタは、  テレビ受信システムに使用されるブースタで放送信号が入力される入力端子２が筐体１の一側面１０に備えられた増幅部Ａと、分配出力端子５が備えられた別設の分配部Ｂとから成る分配ブースタであって、
増幅部Ａの入力端子２が備えられた筐体１の一側面１０とは異なる側面１０に、分配部Ｂが取り付けられており、前記増幅部Ａには増幅部側出力端子３が備えられ、かつ分配部Ｂには分配部側入力端子６が備えられ、前記の増幅部側出力端子３と分配部側入力端子６が同軸ケーブル７で接続されていることを特徴とする。
【００１１】
請求項２に記載した分配ブースタは、前記分配部Ｂの出力端子５が増幅部Ａの入力端子２に対し直交配置で、分配部Ｂが増幅部Ａの筐体１の一側面１０に取り付けられていることを特徴とする。
【００１２】
請求項３に記載した分配ブースタは、前記増幅部Ａの筐体１の一側面１０に取り付けられた分配部Ｂが、回動自在に構成されていることを特徴とする。
【００１３】
請求項４に記載した分配ブースタは、前記分配部Ｂの左右両側に取付け片８が設けられ、その取付け片８を通じて分配部Ｂが、増幅部Ａの筐体１の一側面１０に回動自在にピン連結されていることを特徴とする。
【００１４】
請求項５に記載した分配ブースタは、前記分配部Ｂが、増幅部Ａに対し所望の傾斜角度θで位置決め固定されることを特徴とする。
【００１５】
請求項６に記載した分配ブースタは、前記分配部Ｂの複数の分配出力端子５・・・が、千鳥状に配置されていることを特徴とする。
【００１６】
請求項７に記載した分配ブースタは、前記分配部Ｂが、回動アダプタ９を介して、増幅部Ａの筐体１の一側面１０に回動自在に取り付けられていることを特徴とする。
【発明の効果】
【００１７】
本発明の分配ブースタによれば、増幅部の入力端子が備えられた筐体の一側面とは直交配置等の異なる側面に、別設の分配部が取り付けられ、増幅部側出力端子と分配部側入力端子が同軸ケーブルで接続されているので、同軸ケーブルの入線が上側一方向であるコンパクトな情報分電盤の中に当該分配ブースタが設置されても、入力側と出力側の配線や接続が行い易く、使い勝手がよい。
【００１８】
また、増幅部と分配部が同軸ケーブルで接続されているから、受信システム設置後に、ユーザーがアンテナやケーブルテレビ受信から新たに光ケーブルテレビに加入した場合にも、増幅部を介さないで前記同軸ケーブルをＯＮＵの出力端子に接続することにより、入力オーバーが防止される。
【００１９】
しかも、増幅部の一側面に取り付けられた分配部が回動自在なので、分配部を上方向に回動させ程よい傾斜状態にして、同軸ケーブルを出力端子にスムーズに接続でき、施工性が向上される。その上、分配部は必要に応じて増幅部から取り外し、又は回動アダプタと共に増幅部から取り外して、分配部単独での使用が可能な自在性にも優れている。
【図面の簡単な説明】
【００２０】
【図１】本発明の分配ブースタの使用例を示した斜視図である。
【図２】分配ブースタの斜視図である。
【図３】分配部の出力端子の配置状態を示した斜視図である。
【図４】分配ブースタの平面図である。
【図５】増幅部への分配部の取り付け要領を示した斜視図である。
【図６】分配ブースタの使用要領を示した斜視図である。
【図７】回動アダプタの使用要領を示した斜視図である。
【図８】回動アダプタの取り付け要領を示した部分拡大図である。
【図９】回動アダプタを使用した分配ブースタを示した斜視図である。
【図１０】回動アダプタを使用した分配ブースタの異なる使用例１を示した斜視図である。
【図１１】回動アダプタを使用した分配ブースタの異なる使用例２を示した斜視図である。
【図１２】回動アダプタを使用した分配ブースタの異なる使用例３を示した斜視図である。
【図１３】Ａ、Ｂは、単体使用の分配部を示した正面方向斜視図と背面方向斜視図である。
【図１４】回動アダプタが付設された分配部の単独使用例を示した説明図である。
【図１５】アンテナ受信時の分配ブースタの使用例を示した説明図である。
【図１６】光ケーブルテレビ接続時の分配ブースタの使用例を示した説明図である。
【図１７】分配ブースタの情報分電盤での使用状態を示した説明図である。
【発明を実施するための最良の形態】
【００２１】
本発明の分配ブースタの好適な実施形態を、以下図面にしたがって説明する。
【００２２】
この分配ブースタは、図１に示したように、増幅部Ａと別設の分配部Ｂとが合体され、両者が同軸ケーブル７により接続された構成となっている。増幅部Ａをなす筐体１の一側面１０には、テレビ受信システムに使用されるブースタで放送信号が入力される入力端子２が複数備えられている。分配部Ｂの外側面８１には、複数の分配出力端子５・・・が備えられている。これら複数の分配出力端子５・・・は、図３に示したように、上下段において互い違いの千鳥状に配置されているため、接続ケーブルのコネクタをスパナ等で扱い易く、強固に固定することができる。
【００２３】
配線や接続が行い易い配置として（図１７参照）、分配部Ｂの出力端子５が増幅部Ａの入力端子２に対し直交する配置で、分配部Ｂが、増幅部Ａの入力端子２が備えられた筐体１の一側面１０とは９０度異なる側面１０に取り付けられている。換言すれば、分配部Ｂの出力端子５が増幅部Ａの入力端子２に対し、図４の平面方向から見た場合Ｌ字状に配置されるように、分配部Ｂが増幅部Ａの一側面１０に取り付けられている。
【００２４】
前記増幅部Ａの入力端子２の隣りで分配部Ｂに最も近い筐体１の側面１０には、増幅部側出力端子３が備えられている。と共に、分配部Ｂの左右いずれかの側面８３のうち前記増幅部側出力端子３に近い側面８３には、分配部側入力端子６が備えられている（図３参照）。よって、これら増幅部側出力端子３と分配部側入力端子６とが、同軸ケーブル７で接続されている（図１、図２）。なお、図中符号３´は、モニター出力端子を示している。
【００２５】
かくして、入力端子２と出力端子５とが直交配置になっているので、同軸ケーブルの入線が例えば上側一方向であるコンパクトな情報分電盤Ｃの中に、当該分配ブースタが設置されても（図１７参照）、配線の取り回しを大きく膨らむことなくスムーズに行え、接続も容易である。
【００２６】
また、増幅部Ａと分配部Ｂが同軸ケーブル７で接続されているので、ユーザーが受信システム設置後にアンテナやケーブルテレビ受信から新たに光ケーブルテレビに加入した際は、増幅部側出力端子３の同軸ケーブル７を外し、その分配部側入力端子６に接続された当該同軸ケーブル７をＯＮＵの出力端子に接続することにより、入力オーバーを防ぐことができる（図１６）。別途新たに分配器を取り寄せて設置して分配ケーブルを接続し直す必要がなく、分配ブースタの電源ケーブルをコンセントから外すことにより省エネにもなる。さらに時が経過して、ユーザーが光ケーブルテレビを断り、再びアンテナ受信を希望する場合は、ＯＮＵの出力に接続されている同軸ケーブル７を元の増幅部側出力端子３に接続し、電源ケーブルをコンセントに接続すれば再びアンテナ受信を行える（図１５）。
【００２７】
分配部Ｂの回動構造について説明する。図５に示したように、分配部Ｂの左右の側面８３、８３の上部位置で、増幅部Ａ方向に突き出た取付け片８、８が設けられ、その取付け片８、８を通じて分配部Ｂが、増幅部Ａの筐体１の一側面１０に回動自在にピン連結されている。本実施形態の場合、分配部Ｂの幅寸Ｗは、増幅部Ａの幅寸Ｗ´と同じで、１４５ｍｍである。分配部Ｂの高さＨも増幅部の高さＨ´と同じで、３５ｍｍである（図８）。分配部Ｂの奥行Ｄは、１７ｍｍである。
【００２８】
左右の取付け片８には、それぞれ取付孔８０が穿設されており、この取付孔８０に対応する増幅部Ａ（筐体１）の側面１０の位置に、雌ネジ孔１１が設けられている。よって、筐体１の対向する前記各側面１０、１０において、合致された取付孔８０と雌ネジ孔１１に、回動支点たるネジ１２が螺合する形態でピン連結され、増幅部Ａの筐体１の一側面１０に取り付けられた分配部Ｂが、その下部を手前に動かして上方向に回動する仕組みである（図１参照）。
【００２９】
したがって、図６に示したように、分配部Ｂを必要に応じて所望の傾斜角度θに回動させた状態で、スムーズに同軸ケーブル７を分配部Ｂの出力端子５に接続することができる。
【００３０】
次に、図７〜図１２に示した回動アダプタ９の使用例について説明する。  前記分配部Ｂが、回動アダプタ９を介して、増幅部Ａの筐体１の一側面１０に回動自在に取り付けた形態でも好適に実施される。
【００３１】
この回動アダプタ９は、例えば板金成形品で、横長のプレート形状に形成されている。その幅寸は、上述した分配部Ｂの幅寸Ｗ及び増幅部Ａの幅寸Ｗ´と同じ１４５ｍｍで（図９）、高さも分配部Ｂの高さＨ及び増幅部Ａの高さＨ´と同じ３５ｍｍである。但し、幅寸と高さがそのように同じである必要はない。
【００３２】
回動アダプタ９には複数のネジ孔９４・・・が穿設され（図７）、その各ネジ孔９４に合致する増幅部Ａ（筐体１）の側面１０位置に、対応するネジ孔４・・・が複数設けられている。前記回動アダプタ９の各ネジ孔９４と増幅部Ａ（筐体１）の各ネジ孔４を合致させ、ネジ１２で螺合することで、回動アダプタ９は増幅部Ａの所望の一側面１０に取り付けられる。しかも図１２のように、増幅部Ａの一側面１０の長さＷ´が、回動アダプタ９（分配部Ｂ）の幅寸Ｗより長い場合でも、合致するネジ孔４、９４同士をネジ１２で螺合して回動アダプタ９は増幅部Ａ（筐体１）の一側面１０に固定できる。
【００３３】
拡大して示した図８のように、回動アダプタ９の左右両側の上部位置で、分配部Ｂ方向に突き出た取付け片９０、９０が設けられ、その取付け片９０には、それぞれ取付孔９１が穿設されている。この各取付孔９１に対応する分配部Ｂの左右の側面８３の上方及び下方位置に、雌ネジ孔８５、８５がそれぞれ設けられている。
【００３４】
また、取付け片９０には、取付孔９１の近傍に回動係止孔９２が複数穿設されている。本実施形態では、分配部Ｂの傾斜角度θが「０度」となる取付孔９２の直下位置と、傾斜角度θが「９０度」となる取付孔９２の外側の水平位置と、それら２つの中間で傾斜角度が「４５度」となる位置で、合計３つの回動係止孔９２・・・が設けられている。一方、分配部Ｂの側面８３で上下に設けられた雌ネジ孔８５、８５直下及び直上位置に、前記回動アダプタ９の取付片９０の３つの回動係止孔９２・・・に嵌合する凸起８６、８６がそれぞれ設けられている。
【００３５】
したがって、増幅部Ａ（筐体１）の一側面１０に取り付けられた回動アダプタ９の取付片９０の取付孔９１に、分配部Ｂの上方の雌ネジ孔８５を合致させ、ネジ１２で螺合させると、分配部Ｂは、その下部を手前に動かして、漸次上方向に回動自在となっている。その際、分配部Ｂの凸起８６が回動係止孔９２の所望位置で嵌合されるため、「０度」「４５度」「９０度」の所望の傾斜角度θに、分配部Ｂを回動して位置決め固定できる（図１０、図１４参照）。
【００３６】
なお、図１０のように、増幅部Ａ（筐体１）の一側面１０に備えられた入力端子２とは正反対の対向する側面１０に分配部Ｂを配置したい場合は、予め増幅部側出力端子３を分配部Ｂの近くで直交する側面１０に備え付け、回動アダプタ９を、入力端子２と反対側の側面１０に取り付け、その回動アダプタ９に分配部Ｂを取り付ければよい。近くに位置する増幅部側出力端子３と分配部側入力端子６に、同軸ケーブル７は難なく接続される。
【００３７】
また、回動アダプタ９を、図１１のように増幅部Ａ（筐体１）の左右逆の一側面１０に取り付ければ、増幅部Ａの左側に分配部Ｂが配置される分配ブースタを製作することができる。
【００３８】
上述した分配ブースタは、分配部Ｂを増幅部Ａから取り外し、分配部Ｂ単独で使用できる（図１３）。回動アダプタ９と共に分配部Ｂを増幅部Ａから取り外して使用することも可能である（図１４）。
【００３９】
すなわち、上述した分配ブースタの分配部Ｂは分配器となっており、回動支点のネジ１２を取り外し（図１参照）、又は回動アダプタ９を増幅部Ａから取り外すことにより、分配部Ｂは増幅部Ａから分離される。取り外された分配部Ｂは、単独の分配器として、分配部Ｂの位置を変更せざるを得ない場合等に適宜対応できる。また、増幅部Ａを必要としないシステムの分配器として単独で使用できる。
【００４０】
回動アダプタ９が付設された分配部Ｂの場合は、図１４に示したように、回動アダプタ９を所望箇所に設置すれば、分配部Ｂを所望の傾斜角度θに回動して単独使用できる。同図１４では、分配部Ｂを４５度回動させた結果、出力端子５・・・が４５度傾斜して配線や接続作業が行い易い状態となっている。
【符号の説明】
【００４１】
Ａ      増幅部
１      筐体
１０    側面
２      入力端子
３      増幅部側出力端子
Ｂ      分配部
５      出力端子
６      分配部側入力端子
７      同軸ケーブル
８      取付け片
９      回動アダプタ
θ      傾斜角度
【図１】
0006624382.tif 000002
【図２】
0006624382.tif 000003
【図３】
0006624382.tif 000004
【図４】
0006624382.tif 000005
【図５】
0006624382.tif 000006
【図６】
0006624382.tif 000007
【図７】
0006624382.tif 000008
【図８】
0006624382.tif 000009
【図９】
0006624382.tif 000010
【図１０】
0006624382.tif 000011
【図１１】
0006624382.tif 000012
【図１２】
0006624382.tif 000013
【図１３】
0006624382.tif 000014
【図１４】
0006624382.tif 000015
【図１５】
0006624382.tif 000016
【図１６】
0006624382.tif 000017
【図１７】
0006624382.tif 000018